(57)【要約】      （修正有）【課題】喫煙者および周囲の健康被害を有効に防止できる喫煙コーナー用空気清浄化スタンドを提供する。【解決手段】キャスター付きの可動台１に、煙草の煙を吸引排出するとともにそれを分解・除去ないし吸着する空気清浄化装置１０が内蔵されるケースを台本体として具備し、さらに、この台本体ケース２に、灰皿配置用の喫煙テーブル３を載置するほか、中央に空洞の支柱５を立設することにより喫煙テーブルの上方を覆う中央に高いパラソル状の排煙カバー７を該支柱を介して設け、喫煙テーブルの中央部に喫煙テーブルの下をその上で揺らぐ煙の集煙室１２としてそれへの下部吸煙口９を配設し、一方、排煙カバーの高い内側中央部に、支柱内の空洞を昇り煙の集煙ダクト１４としてそれへの上部吸煙口１１を配設し、台本体ケース内には、集煙室および集煙ダクトへ吸引排気ファンの吸引力が及ぶ空気清浄化装置を設け、下部に押出力が及ぶ浄化排気口１７を設けた。【選択図】図１
2010071551.tif 000002
【特許請求の範囲】
【請求項１】
キャスター付きの可動台に、煙草の煙を吸引排出するとともにそれを分解・除去ないし吸着する空気清浄化装置が内蔵されるケースを台本体として具備し、さらに、この台本体ケースに、灰皿配置用の喫煙テーブルを載置するほか、中央に空洞の支柱を立設することにより喫煙テーブルの上方を覆う中央に高いパラソル状の排煙カバーを該支柱を介して設け、喫煙テーブルの中央部に喫煙テーブルの下をその上で揺らぐ煙の集煙室としてそれへの下部吸煙口を配設し、一方、排煙カバーの高い内側中央部に、支柱内の空洞を昇り煙の集煙ダクトとしてそれへの上部吸煙口を配設し、台本体ケース内には、集煙室および集煙ダクトへ吸引排気ファンの吸引力が及ぶ空気浄化装置を設け、下部に押出力が及ぶ浄化排気口を設けたことを特徴とする喫煙コーナー用空気清浄化スタンド。
【請求項２】
前記空気浄化装置は、下部吸煙口と上部吸煙口とについて２系統に分けて構成され、それぞれの経路において相互に独立した吸引排気ファンを装備し、各吸引排気ファンに後続してフイルターと光触媒とがそれぞれ取替え可能に装填されてなることを特徴とする請求項１記載の喫煙コーナー用空気清浄化スタンド。
【発明の詳細な説明】
【技術分野】
【０００１】
この発明は、事業所、公共施設、その他において、喫煙コーナーに設置することにより、煙草の煙を分解・除去ないし吸着して排出することができるようにした喫煙コーナー用空気清浄化スタンドに関する。
【背景技術】
【０００２】
喫煙は本人の健康に有害であるばかりか、周囲にも健康被害を及ぼすことから、嫌煙の高まりとともに、この嫌煙に対し喫煙者の立場を配慮する喫煙対策として決まった場所の喫煙コーナーでのみ禁煙を認めて、周囲の迷惑と喫煙者の嗜好との間の調整を試みる職場や公共施設等が一般的となっている。
【０００３】
従来、喫煙コーナーは、単に喫煙テーブル上に灰皿を配置するだけの簡単なものから、その周囲を衝立等で仕切るもの、さらには、天井に排気口を設けるもの等がある。また、駅やバス停留場等では、灰皿替わりとなる吸殻捨てボックスが所々に置かれる。
【発明の開示】
【発明が解決しようとする課題】
【０００４】
上記のような喫煙コーナーでは、単に喫煙テーブルや吸殻捨てボックスを配置するだけでは、排煙処理がなされないために、周囲に喫煙の被害を及ぼすことは避けられなく、他人に迷惑が掛からないように配慮する喫煙対策として十分とは言えない。また、排煙処理をするときには、排煙のために天井に有する既存の排気口を利用するか、新たに排気口を設ける必要があるため、この場合、いずれにしても禁煙コーナーを自由に移転することは容易ではない。しかも、天井の排煙口を中心に周囲に衝立等の仕切りを設けた喫煙コーナーであっても、閉塞的であるために喫煙者が喫煙テーブルの上で漂う煙で、却って健康を害することになる。また、仕切りの上方から周囲へ煙が洩れるため、他人への配慮にも不十分であった。
【０００５】
この発明は、上記のような実情に鑑みて、キャスター付きで喫煙テーブルとなる可動台に、テーブル上で漂う煙ばかりでなく上昇する煙も捕捉する手段と共に、浄化して排出する空気清浄化装置を具備するために、喫煙コーナーの設置ないし移転が極めて容易となり、しかも、喫煙コーナーが仕切りのない開放的空間になるにもかかわらず煙の捕捉が確実であるために、喫煙者および周囲の健康被害を有効に防止できる喫煙コーナー用空気清浄化スタンドを提供することを課題とした。
【課題を解決するための手段】
【０００６】
上記の課題を解決するために、この発明は、キャスター付きの可動台に、煙草の煙を吸引排出するとともにそれを分解・除去ないし吸着する空気清浄化装置が内蔵されるケースを台本体として具備し、さらに、この台本体ケースに、灰皿配置用の喫煙テーブルを載置するほか、中央に空洞の支柱を立設することにより喫煙テーブルの上方を覆う中央に高いパラソル状の排煙カバーを該支柱を介して設け、喫煙テーブルの中央部に喫煙テーブルの下をその上で揺らぐ煙の集煙室としてそれへの下部吸煙口を配設し、一方、排煙カバーの高い内側中央部に、支柱内の空洞を昇り煙の集煙ダクトとしてそれへの上部吸煙口を配設し、台本体ケース内には、集煙室および集煙ダクトへ吸引排気ファンの吸引力が及ぶ空気浄化装置を設け、下部に押出力が及ぶ浄化排気口を設けたことを特徴とする喫煙コーナー用空気清浄化スタンドを提供する。
【０００７】
喫煙コーナー用空気清浄化スタンドを上記のように構成したから、これを設置した箇所がそのままで喫煙コーナーとなるよう装備されたもので、稼働状態において、喫煙テーブルを囲む喫煙者は、その上に配置される灰皿を利用しながら喫煙できることはもちろん、その際に、喫煙テーブルの上で漂う煙は下部吸煙口から吸引され、それに洩れて上昇する煙が排煙カバーで集合されて上部吸煙口から吸引され、それらの煙が本体ケースの内部に導入されて、空気清浄化装置によりヤニ、臭い等の有害物が分解・除去ないし吸着され、こうして無害化された空気が下端の浄化排気口から排出される。
【発明の効果】
【０００８】
以上説明したように、この発明の喫煙コーナー用空気清浄化スタンドによれば、喫煙コーナーとする場所に工事が不必要であって、移転もキャスターによる移動だけで足り、また、煙の捕捉が迅速且つ確実であって、開放的な空間となるにもかかわらず周囲に煙が洩れるのを防止できるだけでなく、喫煙者自身が二次的に煙を吸うことによる健康被害も防止できるという優れた効果がある。
【０００９】
加えて、請求項２によれば、空気清浄化装置について、吸引排出が独立した２系統となることから、下部吸煙口と上部吸煙口とに偏って吸引力が働くような不具合を防止できため、光触媒による煙等の処理が確実となる。
【発明を実施するための最良の形態】
【００１０】
次に、この発明の実施形態を図面に基づいて説明する。
【００１１】
図面は一実施の形態を示したもので、その喫煙コーナー用空気清浄化スタンドは、可動台１を基本として、それに載置される喫煙テーブル３と、同じくそれに支柱５を介して上方に被さる排煙カバー７等から構成され、可動台１には２系統（１０ａ，１０ｂ）に空気清浄化装置１０が内蔵される。これについては、喫煙テーブル３では喫煙近辺でゆらぐ煙を捉える複数の下部吸煙口９が、排煙カバー７には昇る煙を捉える複数の上部吸煙口１１がそれぞれ設けられ、両吸煙口９，１１と一つの排気口１７との間にそれぞれの吸引排気ファン２３ａ，２３ｂが設けられ、それに後続するフイルター２５ａ，２５ｂと光触媒２６ａ，２６ｂが装填される。また、支柱５内を集煙ダクト１４として利用した２系統となっていることにも特徴がある。
【００１２】
可動台１は、その本体がキャスター８付きの矩形のケースであって、一面に開閉扉２０が内部の点検、整備、修理等の他、空気清浄化に要する装填部材を取替えるために設けられ、本体ケース２の上に、その周囲にはみ出る大きさに喫煙テーブル３が載置されるが、それと本体ケースの間に集煙室１２が設けられる。また、支柱５が本体ケース２に固定されることにより、喫煙テーブル３の中央を貫通して立設されるが、喫煙テーブル３には、支柱５の周囲において前記下部吸煙口９が設けられ、さらにその周囲に多数の灰皿１６，１６，・・が配置されるよう、その灰皿受け１８，１８，・・が配設される。
【００１３】
支柱５は、矩形の筒形であって、それに支持される排煙カバー７は、パラソル形で、その中央部には支柱５を中心に上部吸煙口１１，１１，・・が配設され、各上部吸煙口１１，１１，・・は、支柱５内部の集煙ダクト１４に集約されるよう、上部吸煙口１１と支柱５の上端との間に煙道１９が設けられる。この排煙カバー７は、上面が金属板やプラスチック板等の板材３９と骨組み３７で中央部に高く組み立てられ、周囲がシート等の垂れ幕４１で囲まれている。
【００１４】
可動台１内の清浄化装置１０は、下部吸煙口９から吸引された空気の清浄化装置１０ａと、上部吸煙口１１から吸引された空気の清浄化装置１０ｂとが別々に独立に設けられているが、清浄化処理後の浄化排気口１７は、排気が人に触れないよう台本体１のケース底面に統一して設けられる。清浄化装置をこのように２系統に分けた理由は、多くの実験の結果、一個のファンを共有すると、下部吸煙口９と上部吸煙口１１とのいずれか一方に吸引力が偏向しやすく、そうなると、その一方について煙の吸引が優先され、他方での捕捉率が著しく低下することから、これを防止するためである。
【００１５】
このような吸引の優劣について具体的に言えば、煙の吸引が優先する経路は、その経路の空気流通抵抗が小さい場合であって、これが主な原因である。例えば吸引口が大きかったり近かったり経路が広かったりすると、その方が優先されファンの力がその経路に偏って働きやすいために、他方の吸引がおろそかになる。
【００１６】
喫煙テーブル３の回りで喫煙されると、その煙は、まずはテーブル上で支柱５の周囲の下部吸煙口９から吸引され、それから外れて上昇した煙が排煙カバー７により捕捉されることにより上部吸煙口１１から吸引される。そこで、次に、下部吸煙口９からの吸煙についてこれを一次経路として、上部吸煙口１１からの吸煙についてこれを二次経路として、それぞれの清浄化装置１０ａ，１０ｂを説明する。
【００１７】
可動台１の本体ケース内には、一次経路の吸引排気ファン２３ａと、二次経路の吸引排気ファン２３ｂとが内蔵されるが、それぞれに従属するように、一次経路にそれ専用のフイルター２５ａと光触媒２６ａが装填され、二次経路にもそれ専用のフイルター２５ｂと光触媒２６ｂが装填される。両経路は異なるが、それが最終的にまとまりその浄化排気室２９が下端部に設けられ、下面に共通の浄化排気口１７が開口される。
【００１８】
一次経路については、吸引排気ファン２３ａによる吸引力が下部吸煙口９に及ぶように、集煙室１２の底面に支柱５を中心とする複数の吸引口３１，３１，３１，３１を等位に設け、各吸引口３１，３１，３１，３１には、吸引排気ファン２３ａに至る吸引ホース３３，３３，３３，３３が接続され、これが吸引排気ファン２１（のケース）の回りに均等間隔にしてなされている。また、吸引排気ファン２３ｂの排気口には先端部が浄化排気室２９へ下向きとなるようにエルボー状に曲がる排気洞３５ａを設け、その先端部にフイルター２５ａと光触媒２６ａが取替え可能に装填される。
【００１９】
二次経路については、本体ケース内の上部中央に吸引排気ファン２３ｂが設置され、上部吸煙口１１，１１，・・が共に通じる支柱５内の集煙ダクト１４は、下端で吸引短筒２２を介してその吸引排気ファン２３ｂに接続される。そして、吸引排気ファン２３の排気側には、浄化排気室２９へ下向きとなるエルボー状に曲がる排気洞３５ｂが設けられ、その先端部にフイルター２５ｂと光触媒２６ｂがこれも取替え可能に装填される。
【００２０】
光触媒２６ａ，２６ｂは、ステンレス製の板材に多数の通気穴を穿設し、それに酸化チタンを塗布したもので、図示は省略するが、複数の光触媒が並列され、その間にランプが介在され、ランプの光で励起され煙のヤニと臭いを分解・除去するようになっている。フイルター２５ａ，２６ａに次ぐこのような煙の処理装置については、光触媒に限られなく、炭素等の吸着材によるものとしても良く、材料及び構造は様々となる。
【図面の簡単な説明】
【００２１】
【図１】この発明の喫煙コーナー用空気清浄化スタンドを模式的に示す縦断面図である。
【図２】同喫煙コーナー用空気清浄化スタンドの斜視図である。
【符号の説明】
【００２２】
１  可動台
２  台本体ケース
３  喫煙テーブル
５  支柱
７  排煙カバー
８  キャスター
９  下部吸煙口
１０  空気清浄化装置
１１  上部吸煙口
１２  集煙室
１４  集煙ダクト
１６  灰皿
１７  浄化排気口
１８  灰皿受け
２５ａ，２５ｂ  フイルター
２６ａ，２６ｂ  光触媒
３５ａ，３５ｂ  （吸引排気ファンに後続する経路としての）排気洞
【図１】
2010071551.tif 000003
【図２】
2010071551.tif 000004